(57)【要約】【課題】  フロントパネルの底板部に位置合わせ用の凸部を形成する場合に、その凸部のの形成箇所に目立つような「ひけ」や凹所が存在しないような対策を講じることによって電気機器キャビネットの外観を良好に保つ。【解決手段】  キャビネット本体２を形成するシャーシ３とフロントパネル５とを有し、シャーシ３に、フロントパネル５の底板部５５が重なり合う前向き突片３１が備わり、その前向き突片３１の凹入部７に嵌合してシャーシ３とフロントパネル５とを横方向で位置合わせする凸部６がフロントパネル５の底板部５５に備わっている。凸部６に肉盗み凹所６３を形成することにより、凸部６３の形成箇所での「ひけ」の発生を抑え、かつ、目立つような凹所の存在をなくする。【選択図】        図１
2007184472.tif 000002
【特許請求の範囲】
【請求項１】
トップカバーを合わせることによって前端が開放した横長箱形のキャビネット本体を形成するシャーシと、上記キャビネット本体の前端に装備される樹脂成形体でなるフロントパネルとを有し、上記シャーシに、上記フロントパネルの底板部の内面が重なり合う前向き突片が備わっていると共に、その前向き突片に具備された凹入部に嵌合して当該シャーシとフロントパネルとを横方向で位置合わせする凸部がフロントパネルの上記底板部に備わっている電気機器キャビネットにおいて、
上記凸部が平面視略矩形に形成され、その凸部にその後向き端面で開放する肉盗み凹所を形成することによってその凸部が中空に形成されていると共に、その凸部の形成箇所で上記底板部の下面がその形成箇所の周囲の下面と面一に連続していることを特徴とする電気機器キャビネット。
【請求項２】
トップカバーを合わせることによって前端が開放した横長箱形のキャビネット本体を形成するシャーシと、上記キャビネット本体の前端に装備される樹脂成形体でなるフロントパネルとを有し、上記シャーシに、上記フロントパネルの底板部の内面が重なり合う前向き突片が備わっていると共に、その前向き突片に具備された凹入部に嵌合して当該シャーシとフロントパネルとを横方向で位置合わせする凸部がフロントパネルの上記底板部に備わっている電気機器キャビネットにおいて、
上記凸部が中空に形成され、その凸部の形成箇所で上記底板部の下面がその形成箇所の周囲の下面と面一に連続していることを特徴とする電気機器キャビネット。
【請求項３】
上記凸部にその後向き端面で開放する肉盗み凹所を形成することによってその凸部が中空に形成されている請求項２に記載した電気機器キャビネット。
【発明の詳細な説明】
【技術分野】
【０００１】
本発明は、電気機器キャビネット、詳しくは、横長箱形のキャビネット本体の一要素であるシャーシと樹脂成形体でなるフロントパネルとの横方向での位置決めに用いられる凸部がフロントパネルに一体成形されている場合に、その凸部の形成箇所が外部から見えることによるフロントパネルの外観の低下を防ぐ対策を講じた電気機器キャビネットに関する。
【背景技術】
【０００２】
図４は電気機器キャビネットの全体外観図である。同図の電気機器キャビネット１は、ディスク状のメディアを使用対象とする光ディスク装置やテープカセットを使用対象とする磁気テープ装置などを内蔵したオーディオビジュアル複合機（ＡＶ複合機）についてのキャビネットである。このキャビネット１は、シャーシ３の上にトップカバー４を合わせることによって形成された横長箱形のキャビネット本体２と、このキャビネット本体２の開放した前端に装備された樹脂成形体でなるフロントパネル５とを備えていて、フロントパネル５には、光ディスク装置のトレイが出退されるトレイ出入口５１や磁気テープ装置に対してテープカセットを出し入れするカセット着脱口５２のほか、光ディスク装置や磁気テープ装置についての各種のモード設定ボタンを含むボタン群５３などが装備されている。
【０００３】
この電気機器キャビネット１において、シャーシ３とフロントパネル５とは、フロントパネル５側に設けられている凸部（図４に現れていない）をシャーシ側に設けられている凹入部（図４に現れていない）に嵌合させることによって両者を横方向で位置合わせした上で、フロントパネル５に設けられた左右の係合片（図４に現れていない）などをシャーシ３側の係合突起（図４に現れていない）に係合させることによってフロントパネル５をシャーシ３に結合している。
【０００４】
図５に参考例としての電気機器キャビネットに採用されたフロントパネル５の概略縦断側面図で示してある。このフロントパネル５は、その底板部５５の横方向１箇所に上記した位置合わせ用の凸部６を備えていて、その凸部６が、底板部５５の１箇所を肉厚にすることによって中実に形成されている。
【０００５】
一方、図６は他の参考例としての電気機器キャビネットに採用されたフロントパネル５の凸部６の形成箇所を拡大して示した概略縦断側面図である。同図の事例では、凸部６の形成箇所でフロントパネル５の底板部５５の下面側に肉盗み凹所６１を形成してある。
【０００６】
これに対し、従来より、電気機器キャビネットをシャーシとトップカバーとフロントパネルとによって構成することは周知である（たとえば、特許文献１、特許文献２参照）。また、従来より、フロントパネルとシャーシとを係合構造によって結合することが知られ（たとえば、特許文献３参照）、さらにフロントパネル取付枠に対するフロントパネルの上下方向の取付基準面を定めることについての研究も行われている（たとえば、特許文献４参照）。
【特許文献１】特開２００２−２１７５５６号公報
【特許文献２】特開２００５−１３６０４０号公報
【特許文献３】特開２００２−３２４９８２号公報
【特許文献４】特開平６−８９５５９号公報
【発明の開示】
【発明が解決しようとする課題】
【０００７】
しかしながら、図５を参照して説明したような形態で凸部６を形成すると、凸部６の形成箇所で底板部５５の下面５６に成形材料である樹脂の収縮などに起因する「ひけ」と呼ばれる微小凹みが発生し、その「ひけ」が目立ってフロントパネル５、ひいては電気機器キャビネット１の外観が悪くなることがある。
【０００８】
また、図６のように、凸部６の形成箇所でフロントパネル５の底板部５５の下面側に肉盗み凹所６１を形成することにより、その凸部６の形成箇所でフロントパネル５が厚肉になることを回避しておくと、上記した「ひけ」の発生が抑制されると云えるけれども、その反面で、肉盗み凹所６１がフロントパネル５の外面（下面）に露呈するために、その肉盗み凹所６１が目立ってフロントパネル５、ひいては電気機器キャビネット１の外観が悪くなることがある。
【０００９】
これに対し、上掲の各特許文献には、シャーシとフロントパネルとを横方向で位置合わせするための凸部についての記述が見当たらないことから、それらの特許文献によって開示された事項を適用しても、上記した「ひけ」や肉盗み凹所６１が外部から見えることによる電気機器キャビネットの外観の低下を防ぐことはできない。
【００１０】
本発明は以上の状況の下でなされたものであり、フロントパネルの大幅な形状変更を伴わずに、上記した「ひけ」を発生や肉盗み凹所が外部から見えるというような状況を回避することのできる対策を講じることによって、それらの「ひけ」や肉盗み凹所が目立って外観が悪くなるという事態の起こらない電気機器キャビネットを提供することを目的とする。
【課題を解決するための手段】
【００１１】
本発明に係る電気機器キャビネットは、トップカバーを合わせることによって前端が開放した横長箱形のキャビネット本体を形成するシャーシと、上記キャビネット本体の前端に装備される樹脂成形体でなるフロントパネルとを有している。また、上記シャーシに、上記フロントパネルの底板部の内面が重なり合う前向き突片が備わっていると共に、その前向き突片に具備された凹入部に嵌合して当該シャーシとフロントパネルとを横方向で位置合わせする凸部がフロントパネルの上記底板部に備わっている。そして、上記凸部が中空に形成され、その凸部の形成箇所で上記底板部の下面がその形成箇所の周囲の下面と面一に連続している。
【００１２】
この構成であれば、凸部が中空であることにより、フロントパネルの底板部の肉厚がその凸部の形成箇所でその周囲の肉厚よりも厚くなって「ひけ」を発生するという事態が抑制される。また、「ひけ」の発生原因となる厚肉箇所を形作らないための手段として、凸部を中空にするという手段を採用したので、フロントパネルの外面の凸部の形成箇所に、目で見て目立つような凹所が形成されなくなる。以上よりも、この発明によれば、「ひけ」や凹所が目立って外観が悪くなるという事態の起こる余地がなくなり、電気機器キャビネットの外観についての美観が高まる。
【００１３】
本発明では、上記凸部にその後向き端面で開放する肉盗み凹所を形成することによってその凸部が中空に形成されていることが望ましい。これによれば、底板部を有するフロントパネルと共に凸部を射出成形で容易に一体成形することが可能になるだけでなく、凸部の形成箇所での厚肉箇所の面積を最少限度に抑えられるようになるために、その厚肉箇所に外観を悪くするほどの目立つような「ひけ」が発生しなくなる。
【００１４】
本発明に係る電気機器キャビネットは、トップカバーを合わせることによって前端が開放した横長箱形のキャビネット本体を形成するシャーシと、上記キャビネット本体の前端に装備される樹脂成形体でなるフロントパネルとを有し、上記シャーシに、上記フロントパネルの底板部の内面が重なり合う前向き突片が備わっていると共に、その前向き突片に具備された凹入部に嵌合して当該シャーシとフロントパネルとを横方向で位置合わせする凸部がフロントパネルの上記底板部に備わっている電気機器キャビネットにおいて、上記凸部が平面視略矩形に形成され、その凸部にその後向き端面で開放する肉盗み凹所を形成することによってその凸部が中空に形成されていると共に、その凸部の形成箇所で上記底板部の下面がその形成箇所の周囲の下面と面一に連続している、という構成を採用することによっていっそう具体化される。この発明の作用は、後述する実施形態を参照して詳細に説明する。
【発明の効果】
【００１５】
以上のように、本発明に係る電気機器キャビネットによれば、そのフロントパネルの底板部の凸部の形成箇所に目立つような「ひけ」が存在せず、目立つような凹所も存在しないので、それらの「ひけ」や凹所が目立ってフロントパネルひいては当該電気機器キャビネットの外観を悪くするという状況が起こり得ない。また、凸部をフロントパネルと一体に樹脂で成形することが可能である。したがって、外観が良好な電気機器キャビネットを安価に提供することが可能になるという効果が奏される。
【発明を実施するための最良の形態】
【００１６】
図１は本発明の実施形態に係る電気機器キャビネットに採用されているフロントパネル５の概略縦断側面図、図２は上記キャビネット１の要部の概略水平断面図、図３は位置合わせのための凸部６と凹入部７とを示した概略斜視図である。
【００１７】
図１のフロントパネル５は、図４を参照して説明したフロントパネル５と同様に、トップカバー４を合わせることによってキャビネット本体２を形成するシャーシ３に結合される。図１及び図２を併せ見ることによって判るように、フロントパネル５の底板部５５には、その横方向Ｗの１箇所に平面視略矩形の凸部６が形成されている。この凸部６は、その後向き端面６２で開放して前方へ向けて凹入している肉盗み凹所６３を形成することによって中空となされている。そして、凸部６がそのような肉盗み凹所６３を有して中空に形成されているために、その凸部６が図３に示したように、平面視略矩形の天板部６４とその天板部６４の左右両端に連設された脚片部６５，６５とを有する偏平な門形形状を形作っている。また、凸部６の形成箇所では、フロントパネル５の底板部５５の肉厚が上記した脚片部６５，６５の形成箇所を除く部分で同一に定められ、さらに、凸部６の形成箇所では、フロントパネル５の底板部５５の下面５６がその周囲の下面に対して面一に連続している。凸部６がこのような構成を有していると、その凸部６をフロントパネル５の底板部５５に樹脂で一体成形した場合に、部分的な厚肉箇所が発生することに起因する「ひけ」が生じないだけでなく、肉盗み凹所６３がフロントパネル５の外部から見えることもない。ここで、凸部６の脚片部６５，６５の形成箇所では、その脚片部６５，６５の高さ分だけフロントパネル５の底板部５５の肉厚が増加しているけれども、それらの脚部６５，６５の厚さを薄く定めることによって底板部５５の下面に「ひけ」が発生することを回避することができた。
【００１８】
図２のように、シャーシ３の前端に前向き突片３１が備わっていて、その前向き突片３１に凹入部７が形成されている。この凹入部７は、上記したフロントパネル５側の凸部６と嵌合することによってシャーシ４とフロントパネル５とを横方向Ｗで位置合わせすることに用いられる。すなわち、図５のように、フロントパネル５側の凸部６を、シャーシ３側の凹入部７に対向させた状態から、矢印のように、フロントパネル５の底板部５５をシャーシ３の下側に差し込んでその底板部５５の内面をシャーシ３に重ね合わせることと併せて、凸部６を凹入部７に嵌合させると、凸部６が凹入部７に横方向Ｗに動かないように位置決めされてシャーシ４とフロントパネル５とが横方向Ｗで位置合わせされる。こうしてシャーシ４とフロントパネル５とを横方向Ｗで位置合わせした上で、フロントパネル５の複数箇所に設けられている係合片８（図２参照）をシャーシ３側の係合突起９に係合させることによってフロントパネル５をシャーシ３に結合する。
【００１９】
この実施形態によると、上記したようにフロントパネル５側の凸部６の形成箇所で「ひけ」が生じず、凸部６の肉盗み凹所６３が外部から見えることもないので、図４に矢印Ｆで示したようにキャビネット１２を正面から見た場合でも、フロントパネル５の下側で「ひけ」や凹所が目立ってフロントパネル５ひいてはキャビネット１の外観が悪くなるという状況が起こり得なくなり、キャビネット１がすっきりとしたデザインに仕上がった。また、凸部６の肉盗み凹所６３を隠して外部から見えないようにするために、その凸部６を中空にするという考え方の下で肉盗み凹所６３を形成したことにより、その凸部６をフロントパネル５と共に一体成形することも容易に行うができることになり、その結果、フロントパネル５やキャビネット１の量産性を維持することも可能になった。
【００２０】
なお、図１〜図６においては、説明の便宜上、同一又は相応する要素には同一符号を付してある。
【図面の簡単な説明】
【００２１】
【図１】本発明の実施形態に係る電気機器キャビネットに採用されているフロントパネルの概略縦断側面図である。
【図２】キャビネットの要部の概略水平断面図である。
【図３】位置合わせのための凸部と凹入部とを示した概略斜視図である。
【図４】電気機器キャビネットの全体外観図である。
【図５】参考例としての電気機器キャビネットに採用されたフロントパネルの概略縦断側面図である。
【図６】他の参考例としての電気機器キャビネットに採用されたフロントパネルの凸部の形成箇所を拡大して示した概略縦断側面図である。
【符号の説明】
【００２２】
２  キャビネット本体
３  シャーシ
４  トップカバー
５  フロントパネル
６  凸部
７  凹入部
３１  前向き突片
５５  フロントパネルの底板部
５６  底板部の下面
６２  凸部の後向き端面
６３  肉盗み凹所
【図１】
2007184472.tif 000003
【図２】
2007184472.tif 000004
【図３】
2007184472.tif 000005
【図４】
2007184472.tif 000006
【図５】
2007184472.tif 000007
【図６】
2007184472.tif 000008